(57)【特許請求の範囲】
【請求項１】
定電圧電源回路と、
前記定電圧電源回路と直列関係にあり、前記定電圧電源回路から供給される電力により発光する発光回路と、
前記定電圧電源回路及び前記発光回路と並列関係にあり、前記定電圧電源回路の入力電流の低下分を擬似負荷電流により補う擬似負荷回路と、
前記発光回路及び前記擬似負荷回路のそれぞれの駆動を制御する駆動回路と
を備え、
前記擬似負荷回路は、
擬似負荷基準電圧に応じて、前記擬似負荷電流が変動するものであり、
前記発光回路は、
並列に接続された複数の発光素子
を備え、
前記駆動回路は、
前記発光素子の点灯数が減少するにつれ、前記擬似負荷電流を増加させ、
前記発光素子の点灯数が増加するにつれ、前記擬似負荷電流を減少させ、
前記発光素子の点灯数が増加するにつれ、断線検出閾値の電圧を増加させる
ことを特徴とする表示灯装置。
【請求項２】
前記駆動回路は、
前記入力電流が減少するにつれ、前記擬似負荷電流を増加させ、
前記入力電流が増加するにつれ、前記擬似負荷電流を減少させる
ことを特徴とする請求項１に記載の表示灯装置。
【請求項３】
前記定電圧電源回路から前記発光回路に流入する出力電流を検出する電流検出部
をさらに備え、
前記駆動回路は、
前記電流検出部の検出結果に基づいて求められた前記発光回路に流入する出力電流信号電圧が、前記断線検出閾値の電圧未満である場合、前記発光素子の全てを消灯する
ことを特徴とする請求項１又は２に記載の表示灯装置。
【請求項４】
前記駆動回路は、
前記発光素子の点灯数が増加するにつれ、過電流検出閾値の電圧を増加させる
ことを特徴とする請求項２に記載の表示灯装置。
【請求項５】
前記定電圧電源回路から前記発光回路に流入する出力電流を検出する電流検出部
をさらに備え、
前記駆動回路は、
前記電流検出部の検出結果に基づいて求められた前記発光回路に流入する出力電流信号電圧が、前記過電流検出閾値の電圧以上である場合、前記発光素子の全てを消灯する
ことを特徴とする請求項４に記載の表示灯装置。
【請求項６】
前記駆動回路は、
前記入力電流と、前記擬似負荷電流との総和を、前記断線検出閾値の電流以上かつ前記過電流検出閾値の電流未満に調整する
ことを特徴とする請求項５に記載の表示灯装置。
【請求項７】
前記電流検出部は、
前記定電圧電源回路から前記発光回路に前記出力電流を供給する回路上に設けられた抵抗素子からなり、
前記駆動回路は、
前記抵抗素子の両端の電位差により前記出力電流信号電圧を求める
ことを特徴とする請求項６に記載の表示灯装置。
【発明の詳細な説明】
【技術分野】
【０００１】
本発明は、表示灯装置に関する。
【背景技術】
【０００２】
従来、複数の発光ダイオードが方向指示装置等の表示灯装置に用いられている。このような表示灯装置は、断線検出機能が実装されている（例えば、特許文献１〜３参照）。
【０００３】
上記の断線検出機能は、発光ダイオードに流れる電流が一定値を下回る場合、断線と判定するものである。このような断線検出機能は、出力負荷にかかわらず、断線検出の判定値が一定である。よって、シーケンシャルターンのように灯具の一部しか点灯しない状態が発生する場合、すなわち、出力負荷が変動する場合、断線検出の判定値以下の電流とならないように一定以上の入力電流を確保する必要がある。
【先行技術文献】
【特許文献】
【０００４】
【特許文献１】特開２００４−１６８０７６号公報
【特許文献２】特開２００５−１１６６８３号公報
【特許文献３】特開２０１１−５７０２３号公報
【発明の概要】
【発明が解決しようとする課題】
【０００５】
そこで、出力負荷の変動を考慮して一定以上の入力電流を確保するためには、ある一定の擬似負荷が最低限必要となる。しかし、擬似負荷に流れる擬似負荷電流を一定値にする場合、消費電力が余計にかかるため、低消費電力化を図ることはできない。
【０００６】
また、表示灯装置に含まれる定電圧電源回路、具体的には、ＤＣ−ＤＣ回路は、入力電圧の変動に伴い入力電流が変化する。例えば、入力電圧が低下すれば入力電流が増えるが、入力電圧が高くなれば入力電流は低くなる。よって、断線検出の判定値が一定値である場合、定電圧電源回路が定格電圧のときの入力電流に基づいて断線を正しく検出できたとしても、上記定格電圧以外のときには断線を誤検出する恐れがある。
【０００７】
したがって、特許文献１〜３に記載のような従来技術においては、出力負荷が変動する場合、消費電力を余計に消費させずに、誤動作を防ぐことができない恐れがある。
【０００８】
本発明は、従来の課題を解決するためになされたものであり、その目的とするところは、出力負荷が変動する場合であっても、消費電力を余計に消費させることなく、誤動作を防ぐことができる表示灯装置を提供することにある。
【課題を解決するための手段】
【０００９】
上記目的を達成するため、本発明に係る表示灯装置は、定電圧電源回路と、前記定電圧電源回路と直列関係にあり、前記定電圧電源回路から供給される電力により発光する発光回路と、前記定電圧電源回路及び前記発光回路と並列関係にあり、前記定電圧電源回路の入力電流の低下分を擬似負荷電流により補う擬似負荷回路と、前記発光回路及び前記擬似負荷回路のそれぞれの駆動を制御する駆動回路とを備え、前記擬似負荷回路は、擬似負荷基準電圧に応じて、前記擬似負荷電流が変動するものであり、前記発光回路は、並列に接続された複数の発光素子を備え、前記駆動回路は、前記発光素子の点灯数が減少するにつれ、前記擬似負荷電流を増加させ、前記発光素子の点灯数が増加するにつれ、前記擬似負荷電流を減少させ、前記発光素子の点灯数が増加するにつれ、断線検出閾値の電圧を増加させることを特徴とするものである。
【００１０】
この表示灯装置によれば、出力負荷が変動する場合であっても、消費電力を余計に消費させることなく、誤動作を防ぐことができる。また、低消費電力化を図りつつ、出力負荷の変動に伴う誤動作を防ぐことができる。さらに、出力負荷に流れる出力電流が変動する場合であっても、出力負荷、すなわち、出力回路として機能する発光回路の断線を判定することができる。
【００１３】
また、本発明に係る表示灯装置において、前記駆動回路は、前記入力電流が減少するにつれ、前記擬似負荷電流を増加させ、前記入力電流が増加するにつれ、前記擬似負荷電流を減少させることが好ましい。
【００１４】
この表示灯装置によれば、入力電圧の変動を踏まえて擬似負荷電流を制御することができる。
【００１７】
また、本発明に係る表示灯装置において、前記定電圧電源回路から前記発光回路に流入する出力電流を検出する電流検出部をさらに備え、前記駆動回路は、前記電流検出部の検出結果に基づいて求められた前記発光回路に流入する出力電流信号電圧が、前記断線検出閾値の電圧未満である場合、前記発光素子の全てを消灯することが好ましい。
【００１８】
この表示灯装置によれば、法規上要求されている一灯断線時全消灯機能を実現することができる。
【００１９】
また、本発明に係る表示灯装置において、前記駆動回路は、前記発光素子の点灯数が増加するにつれ、過電流検出閾値の電圧を増加させることが好ましい。
【００２０】
この表示灯装置によれば、出力負荷に流れる出力電流が変動する場合であっても、出力負荷、すなわち、出力回路として機能する発光回路の過電流を判定することができる。
【００２１】
また、本発明に係る表示灯装置において、前記定電圧電源回路から前記発光回路に流入する出力電流を検出する電流検出部をさらに備え、前記駆動回路は、前記電流検出部の検出結果に基づいて求められた前記発光回路に流入する出力電流信号電圧が、前記過電流検出閾値の電圧以上である場合、前記発光素子の全てを消灯することが好ましい。
【００２２】
この表示灯装置によれば、発光回路を適切に保護することができる。
【００２３】
また、本発明に係る表示灯装置において、前記駆動回路は、前記入力電流と、前記擬似負荷電流との総和を、前記断線検出閾値の電流以上かつ前記過電流検出閾値の電流未満に調整することが好ましい。
【００２４】
この表示灯装置によれば、断線の誤検出を防ぐことができる。
【００２５】
また、本発明に係る表示灯装置において、前記電流検出部は、前記定電圧電源回路から前記発光回路に前記出力電流を供給する回路上に設けられた抵抗素子からなり、前記駆動回路は、前記抵抗素子の両端の電位差により前記出力電流信号電圧を求めることが好ましい。
【００２６】
この表示灯装置によれば、簡易な構成で発光回路に流入する出力電流を求めることができる。
【発明の効果】
【００２７】
本発明によれば、出力負荷が変動する場合であっても、消費電力を余計に消費させることなく、誤動作を防ぐことができる。
【図面の簡単な説明】
【００２８】
【図１】実施形態に係る表示灯装置１の機能構成の一例を示す図である。
【図２】実施形態に係る表示灯装置１の回路構成の一例を示す図である。
【図３】異常検出基準電圧の設定例を示す図である。
【図４】擬似負荷基準電圧の設定例を示す図である。
【発明を実施するための形態】
【００２９】
以下、図面に基づいて本発明の実施形態を説明するが、本発明は以下の実施形態に限られるものではない。
【００３０】
図１は、実施形態に係る表示灯装置１の機能構成の一例を示す図である。図１に示すように、表示灯装置１は、定電圧電源回路３０、発光回路４０、擬似負荷回路５０、及び駆動回路６０等を備える。また、表示灯装置１は、定電圧電源回路３０と、発光回路４０との間に、電流検出部７０を備える。
【００３１】
定電圧電源回路３０は、安定した直流電源を供給するものであり、例えば、ＤＣ−ＤＣコンバータからなる。発光回路４０は、定電圧電源回路３０と直列関係にあり、定電圧電源回路３０から供給される電力により発光するものである。
【００３２】
擬似負荷回路５０は、定電圧電源回路３０及び発光回路４０と並列関係にあり、定電圧電源回路３０の入力電流Ｉｉｎ１の低下分を擬似負荷電流Ｉｉｎ２により補うものである。擬似負荷回路５０は、擬似負荷基準電圧に応じて、擬似負荷電流Ｉｉｎ２が変動するものである。
【００３３】
駆動回路６０は、発光回路４０及び擬似負荷回路５０のそれぞれの駆動を制御するものである。駆動回路６０は、発光回路４０の点灯状態と、定電圧電源回路３０の電源電圧とに基づいて、擬似負荷基準電圧を調整しつつ、擬似負荷電流Ｉｉｎ２を増加させるものである。
【００３４】
駆動回路６０は、具体的には、不図示のＣＰＵ、ＲＯＭ、ＲＡＭ、及びＩ／Ｏインターフェースを主体として構成されるものであり、ＣＰＵがＲＯＭ又は不図示のメモリから処理内容に応じた各種プログラムを読み出し、ＲＡＭに展開し、展開した各種プログラムと協働することにより、駆動回路６０の各部の動作を制御する。
【００３５】
つまり、駆動回路６０は、表示灯装置１の動作を制御するものであり、不図示のＣＰＵ、ＲＯＭ、ＲＡＭ、及びＩ／Ｏインターフェースを主体に構成されたマイクロコンピュータにより実現し得るものである。駆動回路６０が所定の制御プログラムを実行することにより、各種機能は実現される。
【００３６】
次に、表示灯装置１の詳細構成について説明する。図２は、実施形態に係る表示灯装置１の回路構成の一例を示す図である。図２に示すように、発光回路４０は、並列に接続された複数の発光素子Ｄ１〜発光素子Ｄ４を含む。
【００３７】
具体的には、抵抗素子Ｒ１と、発光素子Ｄ１と、スイッチング素子ＴＲ１とが直列に接続され、スイッチング素子ＴＲ１の駆動により、発光素子Ｄ１が点灯する。また、抵抗素子Ｒ２と、発光素子Ｄ２と、スイッチング素子ＴＲ２とが直列に接続され、スイッチング素子ＴＲ２の駆動により、発光素子Ｄ２が点灯する。また、抵抗素子Ｒ３と、発光素子Ｄ３と、スイッチング素子ＴＲ３とが直列に接続され、スイッチング素子ＴＲ３の駆動により、発光素子Ｄ３が点灯する。また、抵抗素子Ｒ４と、発光素子Ｄ４と、スイッチング素子ＴＲ４とが直列に接続され、スイッチング素子ＴＲ４の駆動により、発光素子Ｄ１が点灯する。
【００３８】
なお、発光素子Ｄ１〜発光素子Ｄ４のそれぞれを特に区別しない場合、発光素子Ｄと称する。また、抵抗素子Ｒ１〜Ｒ４のそれぞれを特に区別しない場合、抵抗素子Ｒと称する。また、スイッチング素子ＴＲ１〜ＴＲ４のそれぞれを特に区別しない場合、スイッチング素子ＴＲと称する。スイッチング素子ＴＲは、バイポーラトランジスタからなる。
【００３９】
擬似負荷回路５０は、抵抗素子Ｒ１００と、スイッチング素子Ｑ１と、抵抗素子Ｒ１０１とが直列に接続され、スイッチング素子Ｑ１の駆動により、擬似負荷電流Ｉｉｎ２が調整される。具体的には、スイッチング素子Ｑ１は、ＭＯＳＦＥＴからなり、スイッチング素子Ｑ１のゲートに印加されるゲート電圧を調整することにより、スイッチング素子Ｑ１を可変抵抗として機能させ、擬似負荷電流Ｉｉｎ２が調整可能となる。
【００４０】
電流検出部７０は、定電圧電源回路３０から発光回路４０に流入する出力電流を検出するものである。具体的には、電流検出部７０は、定電圧電源回路３０から発光回路４０に出力電流を供給する回路上に設けられた抵抗素子Ｒ１０からなる。よって、抵抗素子Ｒ１０の両端の電位差により、発光回路４０に流入する出力電流が求められる。
【００４１】
駆動回路６０は、複数の発光素子Ｄの点灯状態として、発光素子Ｄの点灯数が減少するにつれ、擬似負荷電流Ｉｉｎ２を増加させる。駆動回路６０は、複数の発光素子Ｄの点灯状態として、発光素子Ｄの点灯数が増加するにつれ、擬似負荷電流Ｉｉｎ２を減少させる。
【００４２】
具体的には、駆動回路６０は、信号入力部６１及び信号出力部６６を含む。信号入力部６１は、点灯信号が入力される。点灯信号は、アナログ信号であってもよく、デジタル信号であってもよい。信号出力部６６は、信号入力部６１から点灯信号を取得する。信号出力部６６は、信号入力部６１から取得した点灯信号に応じて、発光素子Ｄを点灯する。
【００４３】
駆動回路６０は、擬似負荷基準電圧設定部６４及びコンパレータ６５を含む。擬似負荷基準電圧設定部６４は、信号入力部６１から点灯信号を取得し、コンパレータ６５により擬似負荷基準電圧とスイッチング素子Ｑ１のゲート電圧との比較結果に基づいて、スイッチング素子Ｑ１のゲート電圧を調整し、擬似負荷電流Ｉｉｎ２を制御する。
【００４４】
定電圧電源回路３０は、発光素子Ｄの点灯数に応じて、入力電流Ｉｉｎ１を制御する。具体的には、発光素子Ｄの点灯数が増加するにつれ、抵抗素子Ｒ１０を流れる出力電流は増加するため、定電圧電源回路３０の入力電流Ｉｉｎ１は増加している。
【００４５】
一方、発光素子Ｄの点灯数が減少するにつれ、抵抗素子Ｒ１０を流れる出力電流は減少するため、定電圧電源回路３０の入力電流Ｉｉｎ１は減少している。
【００４６】
入力電流Ｉｉｎは、入力電流Ｉｉｎ１と、擬似負荷電流Ｉｉｎ２との総和である。入力電流Ｉｉｎ１の減少により、入力電流Ｉｉｎが予め設定された動作設定値以下に減少した場合、断線状態にあると誤判定される恐れがある。そこで、駆動回路６０は、入力電流Ｉｉｎの減少による断線の誤判定を回避するため、擬似負荷電流Ｉｉｎ２を増加させる。
【００４７】
つまり、駆動回路６０は、入力電流Ｉｉｎ１が減少するにつれ、擬似負荷電流Ｉｉｎ２を増加させる。一方、駆動回路６０は、入力電流Ｉｉｎ１が増加するにつれ、擬似負荷電流Ｉｉｎ２を減少させる。
【００４８】
具体的には、駆動回路６０は、コンパレータ６２を含む。コンパレータ６２は、抵抗素子Ｒ１０の両端の電位差を求める。信号入力部６１は、コンパレータ６２から取得した抵抗素子Ｒ１０の両端の電位差に基づいて、発光回路４０に流入する出力電流信号電圧を求める。
【００４９】
駆動回路６０は、発光素子Ｄの点灯数が増加するにつれ、断線検出閾値を増加させる。具体的には、駆動回路６０は、異常検出閾値設定部６３を含む。異常検出閾値設定部６３は、信号入力部６１から点灯信号を取得し、発光素子Ｄの点灯数に応じて、断線検出閾値の設定を変更する。つまり、発光素子Ｄの点灯数が増加するにつれ、入力電流Ｉｉｎ１は増加するため、駆動回路６０は、発光素子Ｄの点灯数の増加量に対応した断線検出閾値を設定する。
【００５０】
駆動回路６０は、電流検出部７０の検出結果に基づいて求められた発光回路４０に流入する出力電流信号電圧が、断線検出閾値未満である場合、複数の発光素子Ｄの全てを消灯する。つまり、発光回路４０に流れる電流が不足している場合、規定の配光が満足されない状態となる。そこで、駆動回路６０は、一灯断線時全消灯機能を満たすべく、全ての発光素子Ｄを消灯させる。
【００５１】
具体的には、異常検出閾値設定部６３は、信号入力部６１から取得した抵抗素子Ｒ１０の両端の電位差に基づいて、発光回路４０に流入する出力電流信号電圧を求める。異常検出閾値設定部６３は、発光回路４０に流入する出力電流信号電圧と、断線検出閾値の電圧とを比較する。異常検出閾値設定部６３は、発光回路４０に流入する出力電流信号電圧が断線検出閾値の電圧未満であるか否かを信号出力部６６に出力する。信号出力部６６は、発光回路４０に流入する出力電流信号電圧が断線検出閾値の電圧未満であれば、スイッチング素子ＴＲ１〜ＴＲ４の全てをオフ状態に制御する。これにより、発光素子Ｄ１〜発光素子Ｄ４は全て消灯される。
【００５２】
駆動回路６０は、発光素子Ｄの点灯数が増加するにつれ、過電流検出閾値の電圧を増加させる。具体的には、異常検出閾値設定部６３は、信号入力部６１から点灯信号を取得し、発光素子Ｄの点灯数に応じて、過電流検出閾値の電圧の設定を変更する。つまり、発光素子Ｄの点灯数が増加するにつれ、入力電流Ｉｉｎ１は増加するため、駆動回路６０は、発光素子Ｄの点灯数の増加量に対応した過電流検出閾値の電圧を設定する。
【００５３】
駆動回路６０は、電流検出部７０の検出結果に基づいて求められた発光回路４０に流入する出力電流信号電圧が、過電流検出閾値の電圧以上である場合、複数の発光素子Ｄの全てを消灯する。つまり、発光回路４０に過電流が流れる場合、表示灯装置１の定格電力を超える恐れがある。そこで、駆動回路６０は、一灯断線時全消灯機能を満たすべく、全ての発光素子Ｄを消灯させる。
【００５４】
具体的には、異常検出閾値設定部６３は、信号入力部６１から取得した抵抗素子Ｒ１０の両端の電位差に基づいて、発光回路４０に流入する出力電流信号電圧を求める。異常検出閾値設定部６３は、発光回路４０に流入する出力電流信号電圧と、過電流検出閾値の電圧とを比較する。異常検出閾値設定部６３は、発光回路４０に流入する出力電流信号電圧が過電流検出閾値の電圧以上であるか否かを信号出力部６６に出力する。信号出力部６６は、発光回路４０に流入する出力電流信号電圧が過電流検出閾値の電圧以上であれば、スイッチング素子ＴＲ１〜ＴＲ４の全てをオフ状態に制御する。これにより、発光素子Ｄ１〜発光素子Ｄ４は全て消灯される。
【００５５】
駆動回路６０は、入力電流Ｉｉｎ１と、擬似負荷電流Ｉｉｎ２との総和を、断線検出閾値電流以上かつ過電流検出閾値電流未満に調整する。つまり、駆動回路６０は、シーケンシャルターンのように出力負荷が変動する動作を発光回路４０にさせたとき、断線検出閾値電流以上の電流を確保すると共に、過電流検出閾値電流未満の電流に抑制するために、定電圧電源回路３０の電源電圧と、発光回路４０の点灯状態とに基づいて、擬似負荷回路５０を動作させる。
【００５６】
次に、抵抗素子Ｒ１０の両端の電位差に基づいて求められた発光回路４０に流入する出力電流である電流検出電圧と、発光素子Ｄの点灯数との相関関係について具体的に説明する。図３は、異常検出基準電圧の設定例を示す図である。異常検出基準電圧は、過電流検出閾値の電圧と、断線検出閾値の電圧とを含む。図３に示すように、発光素子Ｄの点灯数が増加するにつれ、過電流検出閾値の電圧及び断線検出閾値の電圧のそれぞれは増加した値が設定される。つまり、異常検出基準電圧は、点灯信号に応じて、段階的に設定される。
【００５７】
次に、擬似負荷基準電圧と、発光素子Ｄの点灯数との相関関係について具体的に説明する。図４は、擬似負荷基準電圧の設定例を示す図である。図４に示すように、発光素子Ｄの点灯数が増加するにつれ、擬似負荷基準電圧は減少した値が設定される。また、定電圧電源回路３０の電源電圧が上昇時には入力電流Ｉｉｎ１が減少するため、入力電流Ｉｉｎ１の低下分を補うため、正常動作電圧と比べ、擬似負荷基準電圧は増加した値が設定される。これにより、擬似負荷電流Ｉｉｎ２は増加する。つまり、擬似負荷基準電圧は、点灯信号に応じて、段階的に設定される。
【００５８】
以上、表示灯装置１は、発光回路４０の点灯状態に基づいて、擬似負荷回路５０により入力電流Ｉｉｎ１の低下分を補う。
【００５９】
具体的には、表示灯装置１は、発光回路４０の点灯状態を考慮し、擬似負荷電流Ｉｉｎ２を増加させるため、擬似負荷回路５０を流れる擬似負荷電流Ｉｉｎ２を一律に一定値としない。これにより、表示灯装置１は、消費電力が余計にかかることがないため、低消費電力化を図ることができる。
【００６０】
換言すれば、表示灯装置１は、発光回路４０の点灯状態に基づいて、入力電流Ｉｉｎ１の低下分を擬似負荷回路５０に流れる擬似負荷電流Ｉｉｎ２で補うことにより、入力電流Ｉｉｎ１と、擬似負荷電流Ｉｉｎ２との総和で一定以上の適正な入力電流Ｉｉｎを確保するため、出力負荷が変動する場合であっても、消費電力を余計に消費させることなく、誤動作を防ぐことができる。
【００６１】
また、表示灯装置１は、発光素子Ｄの点灯数が減少するにつれ、擬似負荷電流Ｉｉｎ２を増加させ、発光素子Ｄの点灯数が増加するにつれ、擬似負荷電流Ｉｉｎ２を減少させるため、一定以上の適正な入力電流Ｉｉｎを確保することができる。これにより、表示灯装置１は、低消費電力化を図りつつ、出力負荷の変動に伴う誤動作を防ぐことができる。
【００６２】
また、表示灯装置１は、入力電流Ｉｉｎ１が減少するにつれ、擬似負荷電流Ｉｉｎ２を増加させ、入力電流Ｉｉｎ１が増加するにつれ、擬似負荷電流Ｉｉｎ２を減少させる。これにより、表示灯装置１は、入力電流Ｉｉｎ１の変動を踏まえて擬似負荷電流Ｉｉｎ２を制御することができる。
【００６３】
また、表示灯装置１は、発光素子Ｄの点灯数が増加するにつれ、断線検出閾値の電圧を増加させるため、出力負荷に流れる出力電流が変動する場合であっても、出力負荷、すなわち、出力回路として機能する発光回路４０の断線を判定することができる。
【００６４】
また、表示灯装置１は、定電圧電源回路３０から発光回路４０に流入する出力電流信号電圧が断線検出閾値の電圧未満である場合、発光素子Ｄの全てを消灯することにより、法規上要求されている一灯断線時全消灯機能を実現することができる。
【００６５】
また、表示灯装置１は、発光素子Ｄの点灯数が増加するにつれ、過電流検出閾値の電圧を増加させるため、出力負荷に流れる出力電流が変動する場合であっても、出力負荷、すなわち、出力回路として機能する発光回路４０の過電流を判定することができる。
【００６６】
また、表示灯装置１は、定電圧電源回路３０から発光回路４０に流入する出力電流信号電圧が過電流検出閾値の電圧以上である場合、発光素子Ｄの全てを消灯することにより、発光回路４０を適切に保護することができる。
【００６７】
また、表示灯装置１は、定電圧電源回路３０の入力電流Ｉｉｎ１と、擬似負荷電流Ｉｉｎ２との総和を、断線検出閾値の電流以上かつ過電流検出閾値の電流未満に調整することにより、出力負荷が変動する場合であっても、一定以上の入力電流Ｉｉｎを確保するため、断線の誤検出を防ぐことができる。
【００６８】
また、表示灯装置１は、電流検出部７０が定電圧電源回路３０から発光回路４０に出力電流を供給する回路上に設けられ、電流検出部７０が抵抗素子Ｒ１０からなるものであり、抵抗素子Ｒ１０の両端の電位差により発光回路４０に流入する出力電流信号電圧を求めるものである。これにより、表示灯装置１は、簡易な構成で発光回路４０に流入する出力電流を求めることができる。
【００６９】
このようにして、本実施形態に係る表示灯装置１によれば、定電圧電源回路３０と、定電圧電源回路３０と直列関係にあり、定電圧電源回路３０から供給される電力により発光する発光回路４０と、定電圧電源回路３０及び発光回路４０と並列関係にあり、定電圧電源回路３０の入力電流Ｉｉｎ１の低下分を擬似負荷電流Ｉｉｎ２により補う擬似負荷回路５０と、発光回路４０及び擬似負荷回路５０のそれぞれの駆動を制御する駆動回路６０とを備え、擬似負荷回路５０は、擬似負荷基準電圧に応じて、擬似負荷電流Ｉｉｎ２が変動するものであり、駆動回路６０は、発光回路４０の点灯状態に基づいて、擬似負荷基準電圧を調整しつつ、擬似負荷電流Ｉｉｎ２を増加させるものである。
【００７０】
これにより、表示灯装置１は、出力負荷が変動する場合であっても、消費電力を余計に消費させることなく、誤動作を防ぐことができる。
【００７１】
また、本実施形態に係る表示灯装置１によれば、発光回路４０は、並列に接続された複数の発光素子Ｄを備え、駆動回路６０は、発光素子Ｄの点灯状態として、発光素子Ｄの点灯数が減少するにつれ、擬似負荷電流Ｉｉｎ２を増加させ、発光素子Ｄの点灯数が増加するにつれ、擬似負荷電流Ｉｉｎ２を減少させるものである。
【００７２】
これにより、表示灯装置１は、低消費電力化を図りつつ、出力負荷の変動に伴う誤動作を防ぐことができる。
【００７３】
また、本実施形態に係る表示灯装置１によれば、駆動回路６０は、入力電流Ｉｉｎ１が減少するにつれ、擬似負荷電流Ｉｉｎ２を増加させ、入力電流Ｉｉｎ１が増加するにつれ、擬似負荷電流Ｉｉｎ２を減少させるものである。
【００７４】
これにより、表示灯装置１は、入力電流Ｉｉｎ１の変動を踏まえて擬似負荷電流Ｉｉｎ２を制御することができる。
【００７５】
また、本実施形態に係る表示灯装置１によれば、駆動回路６０は、発光素子Ｄの点灯数が増加するにつれ、断線検出閾値の電圧を増加させるものである。
【００７６】
これにより、表示灯装置１は、出力負荷に流れる出力電流が変動する場合であっても、出力負荷、すなわち、出力回路として機能する発光回路４０の断線を判定することができる。
【００７７】
また、本実施形態に係る表示灯装置１によれば、定電圧電源回路３０から発光回路４０に流入する出力電流を検出する電流検出部７０をさらに備え、駆動回路６０は、電流検出部７０の検出結果に基づいて求められた発光回路４０に流入する出力電流信号電圧が、断線検出閾値の電圧未満である場合、発光素子Ｄの全てを消灯するものである。
【００７８】
これにより、表示灯装置１は、法規上要求されている一灯断線時全消灯機能を実現することができる。
【００７９】
また、本実施形態に係る表示灯装置１によれば、駆動回路６０は、発光素子Ｄの点灯数が増加するにつれ、過電流検出閾値の電圧を増加させるものである。
【００８０】
これにより、表示灯装置１は、出力負荷に流れる出力電流が変動する場合であっても、出力負荷、すなわち、出力回路として機能する発光回路４０の過電流を判定することができる。
【００８１】
また、本実施形態に係る表示灯装置１によれば、定電圧電源回路３０から発光回路４０に流入する出力電流を検出する電流検出部７０をさらに備え、駆動回路６０は、電流検出部７０の検出結果に基づいて求められた発光回路４０に流入する出力電流信号電圧が、過電流検出閾値の電圧以上である場合、発光素子Ｄの全てを消灯するものである。
【００８２】
これにより、表示灯装置１は、発光回路４０を適切に保護することができる。
【００８３】
また、本実施形態に係る表示灯装置１によれば、駆動回路６０は、入力電流Ｉｉｎ１と、擬似負荷電流Ｉｉｎ２との総和を、断線検出閾値の電流以上かつ過電流検出閾値の電流未満に調整するものである。
【００８４】
これにより、表示灯装置１は、断線の誤検出を防ぐことができる。
【００８５】
また、本実施形態に係る表示灯装置１によれば、電流検出部７０は、定電圧電源回路３０から発光回路４０に出力電流を供給する回路上に設けられた抵抗素子Ｒ１０からなり、駆動回路６０は、抵抗素子Ｒ１０の両端の電位差により出力電流信号電圧を求めるものである。
【００８６】
これにより、表示灯装置１は、簡易な構成で発光回路４０に流入する出力電流を求めることができる。
【００８７】
以上、本発明に係る表示灯装置１を実施形態に基づいて説明したが、本発明はこれに限定されるものではなく、本発明の趣旨を逸脱しない範囲で、変更を加えてもよい。
【００８８】
例えば、発光素子Ｄが４個並列に設けられた発光回路４０の一例について説明したが、これに限らず、発光素子Ｄが５個以上並列に設けられた発光回路４０であってもよい。また、発光素子Ｄが複数個直列に接続された発光素子群が複数個並列に設けられた発光素子Ｄであってもよい。要するに、シーケンシャルターンのように、発光素子Ｄの総発光量が可変制御されるものであればよい。
【００８９】
また、駆動回路６０が所定の制御プログラムを実行することにより、各種機能が実現される一例について説明したが、これに限らず、駆動回路６０は、各種機能を布線論理回路により実現されてもよい。
【符号の説明】
【００９０】
１          表示灯装置
３０        定電圧電源回路
４０        発光回路
５０        擬似負荷回路
６０        駆動回路
６１        信号入力部
６２、６５  コンパレータ
６３        異常検出閾値設定部
６４        擬似負荷基準電圧設定部
６６        信号出力部
７０        電流検出部
【図１】
0006668648.tif 000002
【図２】
0006668648.tif 000003
【図３】
0006668648.tif 000004
【図４】
0006668648.tif 000005